(57)【特許請求の範囲】
【請求項１】
入力クロマ信号と後述するＡＰＣ（Ａｕｔｏ Ｐｈａｓｅ Ｃｏｎｔｒｏｌ）回路からのＣＯＳ波信号とを掛算する第１の掛算回路と、入力クロマ信号と後述するＡＰＣ回路からのＳＩＮ波信号とを掛算する第２の掛算回路と、前記第１の掛算回路からの出力信号の高域成分を落とす第１のローパスフィルター回路と、前記第２の掛算回路からの出力信号の高域成分を落とす第２のローパスフィルター回路と、前記第１のローパスフィルター回路の出力信号レベルを「０」にするブランキング処理を施す第１のＢＬＫ回路と、前記第２のローパスフィルター回路の出力信号レベルを「０」にするブランキング処理を施す第２のＢＬＫ回路と、前記第２のローパスフィルター回路からの出力信号を入力とし、入力クロマ信号のサブキャリアーの周波数と、出力するＳＩＮ波、ＣＯＳ波の周波数とを一致させるように動作するＡＰＣ（Ａｕｔｏ Ｐｈａｓｅ Ｃｏｎｔｒａｏｌ）回路と、前記第２のローパスフィルター回路からの出力信号を１水平期間の時間遅延させる１Ｈディレイ回路と、前記１Ｈディレイ回路からの出力信号から前記第２のローパスフィルター回路の出力信号を減算する減算回路と、ＰＡＬ方式クロマ信号を復調する際にラインのアイデントを特定できるラインアイデント信号を入力とし、前記減算回路からの出力信号の極性を前記ラインアイデント信号がＨならば反転して出力し、前記ラインアイデント信号がＬならばそのままの極性にて出力するライン反転回路と、前記ライン反転回路からの出力信号と、前記第１のローパスフィルター回路からの出力信号を外部から入力する制御信号にて切り換える切り換え回路と、前記切り換え回路からの出力信号の中で、バースト期間の信号レベルの大きさによりクロマ信号有り無しを判別するキラー判定回路とを備えたことを特徴とするキラー回路。
【請求項２】
前記切り換え回路は、前記入力クロマ入力信号がＰＡＬ時には前記ライン反転回路からの出力信号を、前記入力クロマ入力信号がＮＴＳＣ時には前記第１のローパスフィルター回路からの出力信号を選択することを特徴とする請求項１記載のキラー回路。
【発明の詳細な説明】
【発明の属する技術分野】
本発明は、ＰＡＬ方式のクロマ信号にて、小さいクロマレベルの信号でも色の有り無しを判断する際に、破綻が少ないキラー回路に関するものである。
【従来の技術】
近年、キラー回路は、大画面テレビ受信機の普及に伴い、テレビの品格を決定づける回路として重要視されている。
以下、図面を参照しながら、上述した従来のキラー回路の一例について説明を行う。
図２は、特開昭５８−２１３５８８号公報で提案されているキラー回路のブロック構成図を示すものである。図２のブロック構成図において６１はクロマ信号、６２は可変利得増幅回路、６３はバーストクロマ分離回路、６４はカラーコントロール回路、６５はボリューム、６６は１Ｈディレイライン、６７はコンデンサー、６８は時間調整用ボリューム、６９はコンデンサー、７１はＡＣＣ検波回路、７２はゲートパルス整形回路、７４はスイッチ回路、７５はパルマトリクス回路、７６はＢ−Ｙ復調器、７７はＲ−Ｙ復調器、７８はＧ−Ｙ復調器、７９はシステムスイッチ回路、８０は波形整形回路、８１は色相コントロール回路、８２はボリューム回路、８３はキラー検出回路、８４はＡＰＣ検波回路、８５はアイデントキラー回路、８６はフリップフロップ回路、８７は電圧制御発振器、８８は位相合成回路である。以上のように構成された色信号処理装置について、以下その動作を簡単に説明する。
まず、ＡＰＣ検波回路８４から出力された信号をもとにして、位相合成回路８８により各種復調用副搬送波を出力する。従来発明はＮＴＳＣ時にＢ−Ｙを復調する復調用副搬送波と、ＰＡＬ時にキラー検波回路８３に入力する副搬送波とを同じ信号として利用することで、回路規模の縮小を図るといった内容である。
【発明が解決しようとする課題】
しかしながら上記のような構成では、次のような問題点を有している。従来の発明はアナログ信号処理による色復調回路であるため、位相合成回路８８のような回路が簡単に構成できたが、近年のようにデジタル信号処理による色復調回路の要望が大きくなると、位相合成回路８８のような回路をデジタルにて構成するのは回路規模の点から見て、不合理である。
【課題を解決するための手段】
上記問題点を解決するために本発明のキラー回路は、入力クロマ信号と後述するＡＰＣ回路からのＣＯＳ波信号とを掛算する第１の掛算回路と、入力クロマ信号と後述するＡＰＣ回路からのＳＩＮ波信号とを掛算する第２の掛算回路と、前記第１の掛算回路からの出力信号の高域成分を落とす第１のローパスフィルター回路と、前記第２の掛算回路からの出力信号の高域成分を落とす第２のローパスフィルター回路と、前記第１のローパスフィルター回路の出力信号レベルを「０」にするようなブランキング処理を施す第１のＢＬＫ回路と、前記第２のローパスフィルター回路の出力信号レベルを「０」にするようなブランキング処理を施す第２のＢＬＫ回路と、前記第２のローパスフィルター回路からの出力信号を入力とし、
入力クロマ信号のサブキャリアーの周波数と、出力するＳＩＮ波、ＣＯＳ波の周波数とを一致させるように動作するＡＰＣ（Ａｕｔｏ  Ｐｈａｓｅ  Ｃｏｎｔｒａｏｌ）回路と、前記第２のローパスフィルター回路からの出力信号を１水平期間の時間遅延させる１Ｈディレイ回路と、前記１Ｈディレイ回路と前記第２のローパスフィルター回路からの出力信号を減算する減算回路と、前記減算回路からの出力信号の極性をラインアイデント信号がＨならば反転して出力し、ラインアイデント信号がＬならばそのままの極性にて出力するライン反転回路と、前記ライン反転回路からの出力信号と、前記第１のローパスフィルター回路からの出力信号を外部から入力する制御信号にて切り換える切り換え回路と、前記切り換え回路からの出力信号からクロマ信号有り無しを判別するキラー回路を備えたものである。
【発明の実施の形態】
本発明の請求項１に記載の発明はＰＡＬ方式のクロマ信号にて、小さいクロマレベルの信号でも破綻無く色の有り無しを判断できるという効果を特徴とするキラー回路であり、復調した信号を入力クロマ信号の方式により切り換え、キラー回路に入力することで、キラー回路からの出力信号の精度を向上させるという回路を有する。
本発明の請求項２に記載の発明は入力クロマ信号と後述するＡＰＣ回路からのＣＯＳ波信号とを掛算する第１の掛算回路と、入力クロマ信号と後述するＡＰＣ回路からのＳＩＮ波信号とを掛算する第２の掛算回路と、前記第１の掛算回路からの出力信号の高域成分を落とす第１のローパスフィルター回路と、前記第２の掛算回路からの出力信号の高域成分を落とす第２のローパスフィルター回路と、前記第１のローパスフィルター回路の出力信号レベルを「０」にするようなブランキング処理を施す第１のＢＬＫ回路と、前記第２のローパスフィルター回路の出力信号レベルを「０」にするようなブランキング処理を施す第２のＢＬＫ回路と、前記第２のローパスフィルター回路からの出力信号を入力とし、入力クロマ信号のサブキャリアーの周波数と、出力するＳＩＮ波、ＣＯＳ波の周波数とを一致させるように動作するＡＰＣ（Ａｕｔｏ  Ｐｈａｓｅ  Ｃｏｎｔｒａｏｌ）回路と、
前記第２のローパスフィルター回路からの出力信号を１水平期間の時間遅延させる１Ｈディレイ回路と、前記１Ｈディレイ回路の出力信号から前記第２のローパスフィルター回路の出力信号を減算する減算回路と、前記減算回路からの出力信号の極性をラインアイデント信号がＨならば反転して出力し、ラインアイデント信号がＬならばそのままの極性にて出力するライン反転回路と、前記ライン反転回路からの出力信号と、前記第１のローパスフィルター回路からの出力信号を外部から入力する制御信号にて切り換える切り換え回路と、前記切り換え回路からの出力信号からクロマ信号有り無しを判別するキラー回路とを備え、ＰＡＬ方式のクロマ信号にて、小さいクロマレベルの信号でも破綻無く色の有り無しを判断できるという効果を特徴とするキラー回路であり、復調した信号を入力クロマ信号の方式により切り換え、キラー回路に入力することで、キラー回路からの出力信号の精度を向上させるという回路を有する。
以下本発明の実施の形態について、図面を参照しながら説明する。
（実施の形態１）
図１は本発明の第１の実施例におけるキラー回路のブロック構成図を示すものである。図１において、１０１は入力クロマ信号１１３と後述するＡＰＣ回路１０７からのＣＯＳ波信号とを掛算する掛算回路、１０２は入力クロマ信号１１３と後述するＡＰＣ回路１０７からのＳＩＮ波信号とを掛算する掛算回路、１０３は掛算回路１０１からの出力信号の高域成分を落とすローパスフィルター回路、１０４は掛算回路１０２からの出力信号の高域成分を落とすローパスフィルター回路、１０５はローパスフィルター回路１０３の出力信号レベルを「０」にするようなブランキング処理を施すＢＬＫ回路である。
１０６はローパスフィルター回路１０４の出力信号レベルを「０」にするようなブランキング処理を施すＢＬＫ回路、１０７はローパスフィルター回路１０４からの出力信号を入力とし、入力クロマ信号１１３のサブキャリアーの周波数と、出力するＳＩＮ波、ＣＯＳ波の周波数とを一致させるように動作するＡＰＣ（Ａｕｔｏ  Ｐｈａｓｅ  Ｃｏｎｔｒａｏｌ）回路、１０８はローパスフィルター回路１０４からの出力信号を１水平期間の時間遅延させる１Ｈディレイ回路、１０９は１Ｈディレイ回路１０８からの出力信号からローパスフィルター回路１０４からの出力信号を減算する減算回路である。
１１０はＰＡＬ方式クロマ信号を復調する際に必要で、ラインのアイデントを特定できるラインアイデント信号を入力とし、減算回路からの出力信号の極性をラインアイデント信号がＨならば反転して出力し、ラインアイデント信号がＬならばそのままの極性にて出力するライン反転回路、１１１はライン反転回路１１０からの出力信号と、ローパスフィルター回路１０３からの出力信号を外部から入力する制御信号にて切り換える切り換え回路、１１２は切り換え回路１１１からの出力信号からクロマ信号有り無しを判別するキラー回路である。
以上のように構成されたキラー回路について、以下図１及び図３を用いてその動作を説明する。
まず図３は本実施例のキラー回路の動作を説明する動作説明図である。ＡＰＣ回路１０７から出力されるＳＩＮ、ＣＯＳ波は入力クロマ信号１１３と周波数が同じであり、ＳＩＮ波が掛算回路１０２に入力され、ＣＯＳ波が掛算回路１０３に入力される。このため、ローパスフィルター回路１０３、１０４から出力される信号はそれぞれＢ−Ｙ信号１１５、Ｒ−Ｙ信号１１４となる。キラー回路１１２は入力された信号の内、バースト期間に相当する信号のレベルを検出し、あるレベルよりも入力信号が小さいときはバーストなし、つまり白黒信号と判断し、ＢＬＫ回路１０５、１０６の出力レベルを「０」にする。もしあるレベルよりも入力信号のレベルが大きいときはカラー信号と判断し、ＢＬＫ回路１０５、１０６の出力は入力信号をそのまま出力するように動く。
ここで、入力クロマ信号１１３がＮＴＳＣ方式の信号であるとき、そのバースト信号の位相は図３（ａ）の実線に示すベクトルとなるため、キラー回路１１２に入力する信号はＢ−Ｙ軸上の信号を入力する必要があることがわかる。理由はＲ−Ｙ軸上の信号であればバースト期間にある信号レベルがほぼ「０」になるため、キラー検出ができない。そこで、ＮＴＳＣ方式の信号は切り換え回路１１１をローパスフィルター回路１０３側にする必要がある。
一方、ＰＡＬ方式のバースト信号の位相は図３（ａ）の点線に示すベクトルとなるため、本来ＮＴＳＣ方式と同じＢ−Ｙ軸上の信号をキラー回路に入力すれば良い。ここで、本発明は１Ｈディレイ回路１０８、減算回路１０９、ライン反転回路１１０によって更なるキラー検波の性能向上を図るのが目的である。以下にそれを説明する。図３（ｂ）１，３は１Ｈ毎に位相を変えるＰＡＬ方式のバースト位相を示しており、図３（ｂ）の２は１をＲ−Ｙ軸上に投影した信号で、４は３をＲ−Ｙ軸上に投影した信号である。
１Ｈディレイ回路１０８によってＲ−Ｙ軸上の信号を１Ｈ遅延させ、その信号から遅延させる前の信号を減算した信号が図３（ｂ）の５にある。この信号は１Ｈ毎に極性が反転する。しかし、ラインアイデント信号１１７はその反転するラインを特定できる信号であり、これを使ってライン反転回路１１０にて全てのラインの極性を正極に合わせる事ができる。そして、ライン反転回路１１７から出力する信号をキラー回路１１２に入力すればキラー検波を行える。さてここで、図３（ｂ）の５の信号レベルに注目すると、本来の振幅は図３（ｂ）の１であったものよりも大きくなっていることがわかる。
また、ノイズの多い信号が入力されても、１Ｈ前後で減算しているため、ノイズを除去することになり、結果としてキラー回路１１２に入力するバースト期間の信号レベルが大きくなりかつノイズも除去されているため、キラー検波精度が向上することとなる。よって、ＰＡＬ方式のクロマ信号が入力された場合は、切り換え回路１１１をライン反転回路側にすることで、キラー回路１１２によって行うキラー検波精度を向上させることができる。
また、従来例のように副搬送波信号を多様に合成する必要も無く、デジタル信号処理する際には回路規模を縮小できる。
【発明の効果】
以上のように本実施例によれば、１Ｈディレイ回路１０８、減算回路１０９、ライン反転回路１１０を設けることにより、キラー回路１１２に入力するバースト期間の信号レベルが大きくなりかつノイズも除去されるため、キラー検波精度を向上させることができる。
【図面の簡単な説明】
【図１】本発明の第１の実施例におけるキラー回路のブロック構成図
【図２】従来のキラー回路のブロック構成図
【図３】本発明の第１の実施例におけるキラー回路の動作説明図
【符号の説明】
１０１  第１の掛算回路
１０２  第２の掛算回路
１０３  第１のローパスフィルター回路
１０４  第２のローパスフィルター回路
１０５  第１のＢＬＫ回路
１０６  第２のＢＬＫ回路
１０７  ＡＰＣ（Ａｕｔｏ  Ｐｈａｓｅ  Ｃｏｎｔｒａｏｌ）回路
１０８  １Ｈディレイ回路
１０９  減算回路
１１０  ライン反転回路
１１１  切り換え回路
１１２  キラー回路
【図１】
0004320864.tif 000002
【図２】
0004320864.tif 000003
【図３】
0004320864.tif 000004